(57)【特許請求の範囲】
【請求項１】
二重瞼が形成されるように上瞼の表皮と皮膚組織内の瞼板とを縫着する糸部材であって、表皮側に位置する糸部分に該糸部分の皮膚組織内への容易沈降を妨げる突部を設けたことを特徴とする二重瞼形成用糸。
【請求項２】
請求項１において、突部が断続的に複数形成された糸自体による結節部である二重瞼形成用糸。
【請求項３】
請求項１において、突部が断続的に複数形成されたプラスチックによるこぶ状物である二重瞼形成用糸。
【請求項４】
請求項３において、こぶ状物の表面に突起又は凹凸部を有する二重瞼形成用糸。
【請求項５】
請求項１において、突部が連続的に形成された膨出部である二重瞼形成用糸。
【請求項６】
請求項１ないし５のいずれかにおいて、前記糸部材の両端に針が設けられている二重瞼形成用糸。
【発明の詳細な説明】
【０００１】
【発明の属する技術分野】
この発明は二重瞼形成用糸に関する。
【０００２】
【従来の技術】
本発明者は、１９８８年に、瞼の切開手術をすることなく、痛みのない、腫れのない、手術当日よりメーキャップ可能な、「クイック二重瞼形成術」（Ｑｕｉｃｋ  Ｄｏｕｂｌｅ  Ｂｌｅｐｈａｒｏｐｌａｓｔｙ）を提唱し、現在これがこの種美容手術における主流となっている。この二重瞼形成術は、上瞼表皮を水平ラインに沿って単一の糸によって該表皮と皮膚組織内の瞼板とを縫着するものである。糸によって瞼板側に引張された表皮部分は内側に埋没してライン付けがなされ、これによって二重瞼が形成される。このような方法は単一の糸によって表皮を埋没させて二重瞼を形成するものであるから（なお、埋没縫合法（ｂｕｒｉｅｄ−ｓｕｔｕｒｅ  ｍｅｔｈｏｄ）とも呼ばれる）、メスによるいかなる切開手術も必要とせず、従って痛みもなく、腫れも軽度で、手術当日よりメーキャップをして社会生活への復帰が可能となり、多くの患者の支持を得ている。
【０００３】
ところで、この種二重瞼形成に使用される糸は、皮膚組織内に長期間に亘り残留していても安全でかつ炎症等が起こりにくいナイロン製のものが多用されているのであるが、長期間の使用につれて、瞼の皮膚組織内で経時的に糸の張力が低下して緩みやすいという問題が指摘されている。糸の張力が低下すると、これによってライン付けされている二重瞼（ライン）がぼやけてしまったり、あるいは消失することもありうる。
【０００４】
このような糸の張力低下の問題は、糸が埋没される皮膚自体の老化や疲弊といったこともあるが、主として、表皮側に位置する糸部分が柔らかい皮膚組織内に沈降することによって引き起こされることが多いと考えられる。このことは、糸の端部が結紮された結び目付近（通常耳側）では該糸部分の組織内への沈降が少ないことからも理解できる。
【０００５】
そこで、発明者は、表皮側に位置する糸部分が皮膚組織内に容易に沈降しないようにすれば、糸の張力低下を防ぐことができ、従って、これによる二重瞼（ライン）のぼやけや消失を防止できることを見い出し、さらに、あらかじめ埋没される糸部分にそのような構造を付与すれば、施術者の技能や経験に関係なくかつ施術時間も増大させることなく簡単に施術できることを見いだしたのである。
【０００６】
【発明が解決しようとする課題】
従って、この発明は、経時的な二重瞼（ライン）のぼやけや消失を防止することができる二重瞼形成用糸を提供することを目的とする。と同時に、この発明は、施術者の技能や経験に関係なくかつ施術時間も増大させることなく簡単に施術できる二重瞼形成用糸の構造を提供することを目的とする。
【０００７】
【課題を解決するための手段】
すなわち、請求項１の発明は、二重瞼が形成されるように上瞼の表皮と皮膚組織内の瞼板とを縫着する糸部材であって、表皮側に位置する糸部分に該糸部分の皮膚組織内への容易沈降を妨げる突部を設けたことを特徴とする二重瞼形成用糸に係る。
【０００８】
請求項２の発明は、請求項１において、突部が断続的に複数形成された糸自体による結節部であることを特徴とする二重瞼形成用糸に係る。
【０００９】
請求項３の発明は、請求項１において、突部が断続的に複数形成されたプラスチックによるこぶ状物であることを特徴とする二重瞼形成用糸に係る。
【００１０】
請求項４の発明は、請求項３において、こぶ状物の表面に突起又は凹凸部を有することを特徴とする二重瞼形成用糸に係る。
【００１１】
請求項５の発明は、請求項１において、突部が連続的に形成された膨出部であることを特徴とする二重瞼形成用糸に係る。
【００１２】
請求項６の発明は、請求項１ないし５のいずれかにおいて、前記糸部材の両端に針が設けられている二重瞼形成用糸に係る。
【００１３】
【発明の実施の形態】
以下添付の図面に従ってこの発明を詳細に説明する。
図１はこの発明の一実施例の二重瞼形成用糸を示す正面図、図２は図１の突部部分の拡大正面図、図３はこぶ状物からなる突部を表す二重瞼形成用糸の部分正面図、図４はこぶ状物の一例を示す拡大正面図、図５は同じく他のこぶ状物の例を示す拡大正面図、図６は連続膨出部からなる突部を表す二重瞼形成用糸の部分正面図、図７はこの発明の二重瞼形成用糸を用いて施術した状態を示す瞼の皮膚組織内の模式図、図８は同じく従来の糸を用いて施術した状態を示す瞼の皮膚組織内の模式図である。
【００１４】
図１に示したように、この発明の二重瞼形成用糸１０は、二重瞼が形成されるように上瞼の表皮５１と皮膚組織５２内の瞼板５３とを縫着する糸部材１１であって（後述の図７参照）、表皮５１側に位置する糸部分１２に該糸部分１２の皮膚組織５２内への容易沈降を妨げる突部２０を設けたことを特徴とする。
【００１５】
実施例の糸部材１１は、ナイロン（ナイロン６６）よりなり、糸の太さは直径約５０〜７０μｍ、全長は３５ｃｍである。なお、請求項６の発明として規定したように、糸部材１１の両端１１ａ，１１ｂには、施術がし易いように、あらかじめ針４１，４２が取り付けられている。針４１，４２は施術の際の細かな作業に適した湾曲形状とされている。
【００１６】
糸部材１１の略中央部分である表皮側に位置すると想定される糸部分１２には突部２０が設けられる。この糸部分１２の長さ（図２に示す符号Ｄ部分）は概ね１０〜１５ｍｍ程度である。突部２０は、糸部材１１の部分１２が瞼の皮膚組織内に容易に沈降することを防ぐためのいわゆるアンカーである。
【００１７】
図１及び図２に示した実施例の突部２０は、請求項２の発明として規定した断続的に複数形成された糸自体による結節部２１である。この結節部２１は糸部分１２が安定して表皮内に留まるようにほぼ等間隔で設けられている。
【００１８】
突部２０を構成する結節部２１の大きさは、糸部材１１よりも大きければそれなりのアンカー効果は生ずるものであり、また、施術の際にスムーズに表皮及び皮膚組織内を糸が挿通できる大きさでなければならないので、一般には糸の太さの約１．５〜３倍である。なお、施術に差し支えがなければそれ以上の大きさとしてもよい。また、突部２０を構成する複数の結節部２１の大きさは必ずしも同一である必要はなく、その個数も自由に設定することができる。
【００１９】
また、突部２０は結節部２１に限らず、請求項３の発明として規定し図３に示したように、断続的に複数形成されたプラスチックによるこぶ状物２２であってもよい。このこぶ状物２２は、糸部材１１の表皮側に位置すると想定される糸部分１２に溶融したプラスチックを付着し固着することにより略球形に形成される。こぶ状物２２の大きさや個数については前述と同様である。
【００２０】
また、請求項４の発明として規定したように、前記こぶ状物２２の表面には、図４に示すような突起２２ａや、あるいは図５に示すような凹凸部２２ｂを形成してもよい。これらの突起２２ａや凹凸部２２ｂはより高いアンカー効果を有する。
【００２１】
また、糸部材１１に設けられた突部２０は球形に限らず、請求項５の発明として規定し図６に図示したように、連続的に形成された膨出部２３であってもよい。膨出部２３は、こぶ状物２２と同様に、プラスチックの付着によって形成することができる。
【００２２】
本発明の糸１０は、前述した従来公知の施術法によって、図７の模式図のように、上瞼の表皮５１と皮膚組織５２内の瞼板５３とを縫着する。瞼板５３は軟骨部分であるので、これと表皮５１とを糸１０によって縫着することによって、表皮５１は内方に引張されて埋没して当該埋没部分に二重瞼（ライン）Ｌを作出する。このとき、表皮５１側に位置する糸部分１２には突部２０が形成されているので、該糸部分１２の皮膚組織５２内への容易沈降が防止され、糸１０の張力を長期に亘って保持する。なお、図７において符号１９は糸１０の端部の結び目である。
【００２３】
これに対して、図８各図は従来の二重瞼形成用糸３０による模式図で、同様に、糸３０が上瞼の表皮５１と皮膚組織５２内の瞼板５３とに縫着される。符号３９は糸３０の端部の結び目である。しかるに、この従来の糸３０によっても（８Ａ）図のように該糸３０の張力によって二重瞼（ライン）Ｌ１が作出されるが、時間の経過によって、（８Ｂ）図のように、表皮５１側に位置する糸部分３２が皮膚組織５２内に沈降して糸３０の張力が低下する。なお、結び目３９付近の沈降は少ない。このような状態となると、糸３０の張力によって引張されていた表皮５１の埋没が形成していた二重瞼（ライン）Ｌ１は表皮５１復元によってぼやけたラインＬ２となり、やがて消失する。
【００２４】
【発明の効果】
以上の図示および説明から理解されるように、この発明の二重瞼形成用糸によれば、表皮側に位置する糸部分に皮膚組織内への容易沈降を妨げる突部を設けたものであるから、表皮側に位置する糸部分の皮膚組織内への経時的な沈降に伴って生ずる糸の張力低下を抑止することができ、従って、これによる二重瞼（ライン）のぼやけや消失を防止することができる。
【００２５】
また、この発明の二重瞼形成用糸によれば、表皮側に位置する糸部分にあらかじめ突部が形成されているものであるから、施術に際しては、該糸部分を表皮側に配置するだけで、所期の効果を生じさせることができる。従って、施術者の技能や経験に関係なく、しかも施術時間も増大させることなく簡単に施術することができ、患者にとっても大きな利点となる。
【図面の簡単な説明】
【図１】この発明の一実施例の二重瞼形成用糸を示す正面図である。
【図２】図１の突部部分の拡大正面図である。
【図３】こぶ状物からなる突部を表す二重瞼形成用糸の部分正面図突部である。
【図４】こぶ状物の一例を示す拡大正面図である。
【図５】同じく他のこぶ状物の例を示す拡大正面図である。
【図６】連続膨出部からなる突部を表す二重瞼形成用糸の部分正面図である。
【図７】この発明の二重瞼形成用糸を用いて施術した状態を示す瞼の皮膚組織内の模式図である。
【図８】同じく従来の糸を用いて施術した状態を示す瞼の皮膚組織内の模式図である。
【符号の説明】
１０  二重瞼形成用糸
１１  糸部材
１２  表皮側に位置する糸部分
２０（２１、２２、２３）  突部
２１  結節部
２２  こぶ状物
２２ａ  突起
２２ｂ  凹凸部
２３  膨出部
４１，４２  針
５１  表皮
５２  皮膚組織
５３  瞼板
【図１】
0003628597.tif 000002
【図２】
0003628597.tif 000003
【図３】
0003628597.tif 000004
【図４】
0003628597.tif 000005
【図５】
0003628597.tif 000006
【図６】
0003628597.tif 000007
【図７】
0003628597.tif 000008
【図８】
0003628597.tif 000009